(57)【要約】【課題】受信信号レベルの変動範囲が広く取れる多段可変利得増幅器を提供する。【解決手段】アクティブバラン１１１で入力信号を差動信号として出力する。可変減衰部１２０は、入力された差動信号を定められた減衰率から選択した減衰率で減衰させた信号を出力する。可変利得増幅部１４０は、増幅器１４１、１５１と複数のスイッチを備える。増幅器１４１、１５１は、入力された信号を定められた利得で増幅して、入力された信号とバイアス電位が等しい出力信号を出力する。可変利得増幅部１４０は、複数のスイッチを連動させて増幅器１４１、１５１の信号を選択的に迂回させて出力する。出力緩衝増幅器１７１は、可変利得増幅部１４０から入力された信号を増幅し出力を行う。可変減衰部１２０および可変利得増幅部１４０での利得設定により、所要の利得を得る多段可変利得増幅器を提供する。【選択図】図１
2009239794.tif 000002
【特許請求の範囲】
【請求項１】
入力された信号を増幅して信号を出力する入力緩衝増幅部と、
前記入力緩衝増幅部から出力される前記信号が入力され、入力された信号を予め定められた減衰率から選択して減衰させた信号を出力する減衰部と、
前記減衰部から出力される前記信号にかかり、入出力信号のバイアス電位が等しく、それぞれが直列に接続され予め定められた利得で増幅する複数の増幅器を有する増幅部と、
前記増幅器を選択的に迂回させて信号を出力する信号切換部と、
前記信号切換部から出力される前記信号が入力され、入力される信号を増幅して出力する出力緩衝増幅部と、
を備えることを特徴とする多段可変利得増幅器。
【請求項２】
入力された信号を予め定められた減衰率から選択して減衰させた信号を出力する減衰部と、
前記減衰部から出力される前記信号が入力され、入力された前記信号を増幅して信号を出力する入力緩衝増幅部と、
前記入力緩衝増幅部から出力される前記信号にかかり、入出力信号のバイアス電位が等しく、それぞれが直列に接続され予め定められた利得で増幅する複数の増幅器を有する増幅部と、
前記増幅器を選択的に迂回させて信号を出力する信号切換部と、
前記信号切換部から出力される前記信号が入力され、入力される信号を増幅して出力する出力緩衝増幅部と、
を備えることを特徴とする多段可変利得増幅器。
【請求項３】
前記増幅部は、
第１の増幅器と、
前記第１の増幅器に直列に接続される第２の増幅器と、
を備え、
前記信号切換部は、
信号が入力される入力端子と、
それぞれがオン状態とオフ状態を切り換える制御信号が入力される制御端子と２個の信号端子を有する６個のスイッチを有しており、
第１のスイッチは、第１の信号端子が前記入力端子に接続され、第２の信号端子が前記第１の増幅器の入力端子に接続され、制御端子に第１の制御信号が入力され、
第２のスイッチは、第１の信号端子が前記第１の増幅器の出力端子に接続され、制御端子に前記第１の制御信号が入力され、
第３のスイッチは、第１の信号端子が前記第１のスイッチの第１の信号端子に接続され、第２の信号端子が前記第２のスイッチの前記第２の信号端子に接続され、制御端子に前記第１の制御信号と連動し、前記第１のスイッチ及び前記第２のスイッチと自スイッチとが互いにオン状態とオフ状態を切り換えるように動作させる第２の制御信号が入力され、
第４のスイッチは、第１の信号端子が前記第２のスイッチの前記第２の信号端子に接続され、第２の信号端子が前記第２の増幅器の前記入力端子に接続され、制御端子に第３の制御信号が入力され、
第５のスイッチは、第１の信号端子が前記第２の増幅器の出力端子に接続され、制御端子に前記第３の制御信号が入力され、
第６のスイッチは、第１の信号端子が前記第４のスイッチの前記第１の信号端子に接続され、第２の信号端子が前記第５のスイッチの前記第２の信号端子と自信号切換部の出力端子とに接続され、制御端子に前記第３の制御信号と連動し、前記第４のスイッチ及び前記第５のスイッチと自スイッチとが互いにオン状態とオフ状態を切り換えるように動作させる第４の制御信号が入力されること、
を特徴とする請求項１または請求項２に記載の多段可変利得増幅器。
【請求項４】
前記増幅部は、
第１の増幅器と、
前記第１の増幅器に直列に接続される第２の増幅器と、
を備え、
前記信号切換部は、
信号が入力される入力端子と、
それぞれがオン状態とオフ状態を切り換える制御信号が入力される制御端子と２個の信号端子を有する６個のスイッチを有しており、
第１のスイッチは、第１の信号端子が前記入力端子に接続され、第２の信号端子が前記第１の増幅器の入力端子に接続され、制御端子に第１の制御信号が入力され、
第４のスイッチは、第１の信号端子が前記第１の増幅器の出力端子に接続され、第２の信号端子が前記第２の増幅器の前記入力端子に接続され、制御端子に第３の制御信号が入力され、
第５のスイッチは、第１の信号端子が前記第２の増幅器の出力端子に接続され、制御端子に前記第３の制御信号が入力され、
第６のスイッチは、第１の信号端子が前記第４のスイッチの前記第１の信号端子に接続され、第２の信号端子が前記第５のスイッチの前記第２の信号端子に接続され、制御端子に前記第３の制御信号と連動し、前記第４のスイッチ及び前記第５のスイッチと自スイッチとが互いにオン状態とオフ状態を切り換えるように動作させる第４の制御信号が入力され、
第２のスイッチは、第１の信号端子が前記第５のスイッチの前記第２の信号端子に接続され、制御端子に前記第１の制御信号が入力され、
第３のスイッチは、第１の信号端子が前記第１のスイッチの第１の信号端子に接続され、第２の信号端子が前記第２のスイッチの前記第２の信号端子と自信号切換部の出力端子とに接続され、制御端子に前記第１の制御信号と連動し、前記第１のスイッチ及び前記第２のスイッチと自スイッチとが互いにオン状態とオフ状態を切り換えるように動作させる第２の制御信号が入力されること、
を特徴とする請求項１または請求項２に記載の多段可変利得増幅器。
【請求項５】
前記増幅部は、
第１の増幅器と、
前記第１の増幅器に直列に接続される第２の増幅器と、
を備え、
前記信号切換部は、
信号が入力される入力端子と、
それぞれがオン状態とオフ状態を切り換える制御信号が入力される制御端子と２個の信号端子を有する６個のスイッチを有しており、
第４のスイッチは、第１の信号端子が前記入力端子に接続され、制御端子に第３の制御信号が入力され、
第１のスイッチは、第１の信号端子が第４のスイッチの第２の信号端子に接続され、第２の信号端子が前記第１の増幅器の入力端子に接続され、制御端子に第１の制御信号が入力され、
第２のスイッチは、第１の信号端子が前記第１の増幅器の出力端子に接続され、第２の信号端子が前記第２の増幅器の入力端子に接続され、制御端子に前記第１の制御信号が入力され、
第３のスイッチは、第１の信号端子が前記第１のスイッチの第１の信号端子に接続され、第２の信号端子が前記第２のスイッチの前記第２の信号端子に接続され、制御端子に前記第１の制御信号と連動し、前記第１のスイッチ及び前記第２のスイッチと自スイッチとが互いにオン状態とオフ状態を切り換えるように動作させる第２の制御信号が入力され、
第５のスイッチは、第１の信号端子が前記第２の増幅器の出力端子に接続され、制御端子に前記第３の制御信号が入力され、
第６のスイッチは、第１の信号端子が前記第４のスイッチの前記第１の信号端子に接続され、第２の信号端子が前記第５のスイッチの前記第２の信号端子と自信号切換部の出力端子に接続され、制御端子に前記第３の制御信号と連動し、前記第４のスイッチ及び前記第５のスイッチと自スイッチとが互いにオン状態とオフ状態を切り換えるように動作させる第４の制御信号が入力されること、
を特徴とする請求項１または請求項２に記載の多段可変利得増幅器。
【請求項６】
前記減衰部は、
前記信号が入力される自減衰部の入力端子に一端が接続される第１の抵抗と、
一端を前記第１の抵抗の他端に接続され、他端を自減衰部の出力端子に接続される第２の抵抗と、
第１の信号端子が前記第１の抵抗と前記第２の抵抗とが接続される接続点に接続され、制御端子に第５の制御信号が入力される第７のスイッチと、
一端が前記第７のスイッチの第２の信号端子に接続される第１の受動素子と、
一端が前記第１の受動素子の他端に接続され、他端が接地電位に接続される第２の受動素子と、
信号端子がそれぞれ自入力端子と自出力端子とに接続され、制御端子に前記第５の制御信号と連動する第６の制御信号が入力される第８のスイッチと、
を備え、
前記第１及び第２の受動素子は、抵抗と容量との組合せであることを特徴とする請求項１または請求項２に記載の多段可変利得増幅器。
【請求項７】
前記入力緩衝増幅部は、アクティブバランを備え、
前記減衰部は、前記入力増幅緩衝部から出力される前記信号が入力される同じ特性の第１の減衰部と第２の減衰部によって構成され、それぞれの前記減衰部によって平衡信号の減衰を行い、
前記増幅部の前記増幅器は、平衡信号入力端子と平衡信号出力端子とを有する差動型増幅器であり、
前記出力緩衝増幅部の前記出力緩衝増幅器は、平衡信号入力端子と平衡信号出力端子とを有する差動型増幅器であり、
前記信号切換部は、同じ特性の第１の信号切換部と第２の信号切換部によって構成され、それぞれの信号切換部によって平衡信号の切換を行うことを特徴とする請求項１または請求項２から請求項６のいずれか１項に記載の多段可変利得増幅器。
【請求項８】
前記減衰部は、前記入力緩衝増幅部の前段に配置され、前記減衰させた信号を前記入力緩衝増幅部に出力し、
前記入力緩衝増幅部は、アクティブバランを備え、
前記増幅部の前記増幅器は、平衡信号入力端子と平衡信号出力端子とを有する差動型増幅器であり、
前記出力緩衝増幅部の前記出力緩衝増幅器は、平衡信号入力端子と平衡信号出力端子とを有する差動型増幅器であり、
前記信号切換部は、同じ特性の第１の信号切換部と第２の信号切換部によって構成され、それぞれの信号切換部によって平衡信号の切換を行うことを特徴とする請求項２から請求項６のいずれか１項に記載の多段可変利得増幅器。
【発明の詳細な説明】
【技術分野】
【０００１】
本発明は、主に複数の増幅器を多段に直列接続とした多段可変利得増幅器に関する。
【背景技術】
【０００２】
携帯電話のように移動して使用される無線装置では、受信信号レベルが変動するため受信部で扱う適正な信号レベルに調整するための可変利得増幅器が用いられている。
これまでの無線装置の受信部では、狭い周波数帯域を利用するものであったため、周波数帯域を特定して周波数特性を最適化していた。
【０００３】
一方、無線通信システムの高速化・多様化により、広帯域の受信範囲を備え、その帯域での受信特性に周波数依存性がない受信部を備える無線装置が必要とされている。
そのような無線装置において利用される受信部では、受信部の高周波（ＲＦ）部だけでなくベースバンド増幅部において、受信信号レベルのダイナミックレンジ拡大と、周波数特性の広帯域化を、小型に低消費電力で構成することが必要とされている。
【０００４】
従来、受信信号レベルのダイナミックレンジ拡大を目的とする受信部のベースバンド信号の増幅部では、増幅器１段とアッテネータとの組み合わせにより利得を可変にしていた。あるいは、複数の増幅器を多段接続した構成とし、それぞれの増幅器を迂回手段により増幅器による増幅をしないことにより利得調整を行う方法がとられていた。
【０００５】
多くの受信部は、迂回手段によって信号を切り換える際にバイアス電位変動を発生させないため、各段の接続は容量を経由して接続する方法がとられている。（例えば、非特許文献１参照）
【非特許文献１】鈴木著  「定本 トランジスタ回路の設計」、ｐｐ．４２−４３、ＣＱ出版社、１９９１年１２月
【発明の開示】
【発明が解決しようとする課題】
【０００６】
ところで、復調方式にダイレクトコンバージョン方式を用いた広帯域信号復調においては、ベースバンド信号の増幅においても広帯域な周波数特性が必要になる。
しかしながら、大きな利得を得るために増幅器を多段に接続する場合、増幅器間のバイアスを調整するためにレベルシフト回路を挿入する、あるいは、容量を挿入してバイアスを切り分ける必要がある。しかし、集積回路（ＩＣ）上には、あまり大きな容量を集積化することは、困難であり、通常は数十ｐＦ程度が限界である。このため、このような多段増幅器を半導体上に集積化する場合、レベルシフト回路の挿入により集積回路が複雑化しサイズや消費電力も大きくなる。あるいは、数十ｐＦ程度の容量の挿入により直流近傍の低周波帯域の周波数特性が劣化し信号の復調に影響するという問題がある。
【０００７】
また、受信信号レベルの変動範囲を広く取るためには、受信信号レベルが低いときは可変利得増幅器の利得を高くし、受信信号レベルが高い場合には、可変利得増幅器の利得を低くすることが必要となる問題がある。
さらに、また、受信信号レベルが過大となるときには、受信部で歪みを生じることとなる問題がある。
すなわち、可変利得回路の利得可変範囲を有効に利用するには受信信号レベルの変動幅、すなわちダイナミックレンジを広く設定することが必要であり、過大入力に対する対策も必要となる問題があった。
【０００８】
本発明は、上記問題を解決すべくなされたもので、その目的は、受信信号レベルの変動範囲が広く取れる多段可変利得増幅器を提供することにある。
【課題を解決するための手段】
【０００９】
上記問題を解決するために、本発明は、入力された入力信号を増幅して信号を出力する入力緩衝増幅部と、前記入力緩衝増幅部から出力される前記信号が入力され、入力される信号を予め定められた減衰率から選択して減衰させた信号を出力する減衰部と、前記減衰部から出力される前記信号にかかり、入出力信号のバイアス電位が等しく、それぞれが直列に接続され予め定められた利得で増幅する複数の増幅器を有する増幅部と、前記増幅器を選択的に迂回させて信号を出力する信号切換部と、前記信号切換部から出力される前記信号が入力され、入力される信号を増幅して出力する出力緩衝増幅部と、を備えることを特徴とする多段可変利得増幅器である。
【００１０】
また、本発明は、入力された信号を予め定められた減衰率から選択して減衰させた信号を出力する減衰部と、前記減衰部から出力される前記信号が入力され、入力された前記信号を増幅して信号を出力する入力緩衝増幅部と、前記入力緩衝増幅部から出力される前記信号にかかり、入出力信号のバイアス電位が等しく、それぞれが直列に接続され予め定められた利得で増幅する複数の増幅器を有する増幅部と、前記増幅器を選択的に迂回させて信号を出力する信号切換部と、前記信号切換部から出力される前記信号が入力され、入力される信号を増幅して出力する出力緩衝増幅部と、を備えることを特徴とする多段可変利得増幅器である。
【００１１】
また、本発明は、上記記載の発明において、前記増幅部は、第１の増幅器と、前記第１の増幅器に直列に接続される第２の増幅器と、を備え、前記信号切換部は、信号が入力される入力端子と、それぞれがオン状態とオフ状態を切り換える制御信号が入力される制御端子と２個の信号端子を有する６個のスイッチを有しており、第１のスイッチは、第１の信号端子が前記入力端子に接続され、第２の信号端子が前記第１の増幅器の入力端子に接続され、制御端子に第１の制御信号が入力され、第２のスイッチは、第１の信号端子が前記第１の増幅器の出力端子に接続され、制御端子に前記第１の制御信号が入力され、第３のスイッチは、第１の信号端子が前記第１のスイッチの第１の信号端子に接続され、第２の信号端子が前記第２のスイッチの前記第２の信号端子に接続され、制御端子に前記第１の制御信号と連動し、前記第１のスイッチ及び前記第２のスイッチと自スイッチとが互いにオン状態とオフ状態を切り換えるように動作させる第２の制御信号が入力され、第４のスイッチは、第１の信号端子が前記第２のスイッチの前記第２の信号端子に接続され、第２の信号端子が前記第２の増幅器の前記入力端子に接続され、制御端子に第３の制御信号が入力され、第５のスイッチは、第１の信号端子が前記第２の増幅器の出力端子に接続され、制御端子に前記第３の制御信号が入力され、第６のスイッチは、第１の信号端子が前記第４のスイッチの前記第１の信号端子に接続され、第２の信号端子が前記第５のスイッチの前記第２の信号端子と自信号切換部の出力端子とに接続され、制御端子に前記第３の制御信号と連動し、前記第４のスイッチ及び前記第５のスイッチと自スイッチとが互いにオン状態とオフ状態を切り換えるように動作させる第４の制御信号が入力されること、を特徴とする。
【００１２】
また、本発明は、上記記載の発明において、前記増幅部は、第１の増幅器と、前記第１の増幅器に直列に接続される第２の増幅器と、を備え、前記信号切換部は、信号が入力される入力端子と、それぞれがオン状態とオフ状態を切り換える制御信号が入力される制御端子と２個の信号端子を有する６個のスイッチを有しており、第１のスイッチは、第１の信号端子が前記入力端子に接続され、第２の信号端子が前記第１の増幅器の入力端子に接続され、制御端子に第１の制御信号が入力され、第４のスイッチは、第１の信号端子が前記第１の増幅器の出力端子に接続され、第２の信号端子が前記第２の増幅器の前記入力端子に接続され、制御端子に第３の制御信号が入力され、第５のスイッチは、第１の信号端子が前記第２の増幅器の出力端子に接続され、制御端子に前記第３の制御信号が入力され、第６のスイッチは、第１の信号端子が前記第４のスイッチの前記第１の信号端子に接続され、第２の信号端子が前記第５のスイッチの前記第２の信号端子に接続され、制御端子に前記第３の制御信号と連動し、前記第４のスイッチ及び前記第５のスイッチと自スイッチとが互いにオン状態とオフ状態を切り換えるように動作させる第４の制御信号が入力され、第２のスイッチは、第１の信号端子が前記第５のスイッチの前記第２の信号端子に接続され、制御端子に前記第１の制御信号が入力され、第３のスイッチは、第１の信号端子が前記第１のスイッチの第１の信号端子に接続され、第２の信号端子が前記第２のスイッチの前記第２の信号端子と自信号切換部の出力端子とに接続され、制御端子に前記第１の制御信号と連動し、前記第１のスイッチ及び前記第２のスイッチと自スイッチとが互いにオン状態とオフ状態を切り換えるように動作させる第２の制御信号が入力されること、を特徴とする。
【００１３】
また、本発明は、上記記載の発明において、前記増幅部は、第１の増幅器と、前記第１の増幅器に直列に接続される第２の増幅器と、を備え、前記信号切換部は、信号が入力される入力端子と、それぞれがオン状態とオフ状態を切り換える制御信号が入力される制御端子と２個の信号端子を有する６個のスイッチを有しており、第４のスイッチは、第１の信号端子が前記入力端子に接続され、制御端子に第３の制御信号が入力され、第１のスイッチは、第１の信号端子が第４のスイッチの第２の信号端子に接続され、第２の信号端子が前記第１の増幅器の入力端子に接続され、制御端子に第１の制御信号が入力され、
第２のスイッチは、第１の信号端子が前記第１の増幅器の出力端子に接続され、第２の信号端子が前記第２の増幅器の入力端子に接続され、制御端子に前記第１の制御信号が入力され、第３のスイッチは、第１の信号端子が前記第１のスイッチの第１の信号端子に接続され、第２の信号端子が前記第２のスイッチの前記第２の信号端子に接続され、制御端子に前記第１の制御信号と連動し、前記第１のスイッチ及び前記第２のスイッチと自スイッチとが互いにオン状態とオフ状態を切り換えるように動作させる第２の制御信号が入力され、第５のスイッチは、第１の信号端子が前記第２の増幅器の出力端子に接続され、制御端子に前記第３の制御信号が入力され、第６のスイッチは、第１の信号端子が前記第４のスイッチの前記第１の信号端子に接続され、第２の信号端子が前記第５のスイッチの前記第２の信号端子と自信号切換部の出力端子に接続され、制御端子に前記第３の制御信号と連動し、前記第４のスイッチ及び前記第５のスイッチと自スイッチとが互いにオン状態とオフ状態を切り換えるように動作させる第４の制御信号が入力されること、を特徴とする。
【００１４】
また、本発明は、上記記載の発明において、前記減衰部は、前記信号が入力される自減衰部の入力端子に一端が接続される第１の抵抗と、一端を前記第１の抵抗の他端に接続され、他端を自減衰部の出力端子に接続される第２の抵抗と、第１の信号端子が前記第１の抵抗と前記第２の抵抗とが接続される接続点に接続され、制御端子に第５の制御信号が入力される第７のスイッチと、一端が前記第７のスイッチの第２の信号端子に接続される第１の受動素子と、一端が前記第１の受動素子の他端に接続され、他端が接地電位に接続される第２の受動素子と、信号端子がそれぞれ自入力端子と自出力端子とに接続され、制御端子に前記第５の制御信号と連動する第６の制御信号が入力される第８のスイッチと、を備え、前記第１及び第２の受動素子は、抵抗と容量との組合せであることを特徴とする。
【００１５】
また、本発明は、上記記載の発明において、前記入力緩衝増幅部は、アクティブバランを備え、前記減衰部は、前記入力増幅緩衝部から出力される前記信号が入力される同じ特性の第１の減衰部と第２の減衰部によって構成され、それぞれの前記減衰部によって平衡信号の減衰を行い、前記増幅部の前記増幅器は、平衡信号入力端子と平衡信号出力端子とを有する差動型増幅器であり、前記出力緩衝増幅部の前記出力緩衝増幅器は、平衡信号入力端子と平衡信号出力端子とを有する差動型増幅器であり、前記信号切換部は、同じ特性の第１の信号切換部と第２の信号切換部によって構成され、それぞれの信号切換部によって平衡信号の切換を行うことを特徴とする。
【００１６】
また、本発明は、上記記載の発明において、前記減衰部は、前記入力緩衝増幅部の前段に配置され、前記減衰された信号を前記入力緩衝増幅部に出力し、前記入力緩衝増幅部は、アクティブバランを備え、前記増幅部の前記増幅器は、平衡信号入力端子と平衡信号出力端子とを有する差動型増幅器であり、前記出力緩衝増幅部の前記出力緩衝増幅器は、平衡信号入力端子と平衡信号出力端子とを有する差動型増幅器であり、前記信号切換部は、同じ特性の第１の信号切換部と第２の信号切換部によって構成され、それぞれの信号切換部によって平衡信号の切換を行うことを特徴とする。
【発明の効果】
【００１７】
本発明の多段可変利得増幅器は、入力された信号を増幅して信号を出力する入力緩衝増幅部と、前記入力緩衝増幅部から出力される前記信号が入力され、入力される信号を予め定められた減衰率から選択して減衰させた信号を出力する減衰部と、前記減衰部から出力される前記信号にかかり、入出力信号のバイアス電位が等しく、それぞれが直列に接続され予め定められた利得で増幅する複数の増幅器を有する増幅部と、前記増幅器を選択的に迂回させて信号を出力する信号切換部と、前記信号切換部から出力される前記信号が入力され、入力される信号を増幅して出力する出力緩衝増幅部と、を備えることとした。
これにより、受信信号レベルが過大となる状況においても減衰器の働きで入力信号を減衰させるので、後段に接続される可変利得増幅部を飽和させることなく、適正な利得に受信信号の利得を調整することができる。
また、予め定められた利得の増幅器を直列に多段に接続し、必要な利得の増幅器を信号切換器により選択して使用することで、必要な利得を得る多段可変利得増幅器を構成できる。
また、入出力信号のバイアス電位が等しい増幅器を用いることで信号切換時に利得に影響を与える入出力信号のバイアス電位を整合でき、利得変化などの影響を回避させることができる。
また、１段あたりのゲインを押さえ周波数特性を広帯域化させた増幅器での多段接続と、必要段数とする切換制御により、受信信号レベルのダイナミックレンジを広くすることができる。
また、容量結合としないことにより、低い周波数帯における周波数特性を確保でき、合わせて回路の小型化（モジュール化）が可能となる。
また、可変利得増幅部内部の信号切換に影響されることなく、所定のインピーダンスで外部回路と接続でき、出力信号を安定に出力できる。
【００１８】
入力された信号を予め定められた減衰率から選択して減衰させた信号を出力する減衰部と、前記減衰部から出力された前記信号が入力され、入力された前記信号を増幅して信号を出力する入力緩衝増幅部と、前記入力緩衝増幅部から出力される前記信号にかかり、入出力信号のバイアス電位が等しく、それぞれが直列に接続され予め定められた利得で増幅する複数の増幅器を有する増幅部と、前記増幅器を選択的に迂回させて信号を出力する信号切換部と、前記信号切換部から出力される前記信号が入力され、入力される信号を増幅して出力する出力緩衝増幅部と、を備えることとした。
これにより、入力緩衝増幅部において、過大信号入力により生じる飽和を回避することができる。
【発明を実施するための最良の形態】
【００１９】
（第１実施形態）
以下、本発明の一実施形態について図面を参照して説明する。
図１は、第１実施形態による多段可変利得増幅器１を示す概略ブロック図である。
【００２０】
多段可変利得増幅器１は、入力緩衝増幅部１１０、可変減衰部１２０、可変利得増幅部１４０、出力緩衝増幅部１７０を備える。
【００２１】
入力緩衝増幅部１１０は、アクティブバラン１１１を備える。
可変減衰部１２０は、抵抗１２１ａ、１２２ａ、１２３ａ、容量１２４ａ、スイッチ１２５ａ、１２６ａを備えるとともに、これらと対になる抵抗１２１ｂ、１２２ｂ、１２３ｂ、容量１２４ｂ、スイッチ１２５ｂ、１２６ｂを備える。
可変利得増幅部１４０は、複数の増幅器（増幅部）と複数のスイッチ（信号切換部）とを備える。ここで、スイッチは、例えばＳＰＳＴ（Single-Pole/Single-Throw）スイッチが適用される。
可変利得増幅部１４０は、増幅部としての増幅器１４１、１５１と、信号切換部としての、スイッチ１４２ａ、１４４ａ、１４６ａ、１５２ａ、１５４ａ、１５６ａを備えるとともに、これらと対になるスイッチ１４２ｂ、１４４ｂ、１４６ｂ、１５２ｂ、１５４ｂ、１５６ｂを備える。
出力緩衝増幅部１７０は、出力緩衝増幅器１７１を備える。
【００２２】
多段可変利得増幅器１は、信号入力端子１１を信号入力端子とし、入力緩衝増幅部１１０、可変減衰部１２０、可変利得増幅部１４０、出力緩衝増幅部１７０、信号出力端子１２の順に直列に接続される。
【００２３】
多段可変利得増幅器１における接続の詳細についての説明を行う。
まず、入力段となる入力緩衝増幅部１１０のアクティブバラン１１１と可変減衰部１２０の接続を示す。
【００２４】
ここで説明する構成は、差動増幅回路による構成であり、次に示すアクティブバラン１１１によって、シングルエンド方式の入力信号を差動方式の信号に変換を行う。
それゆえ、アクティブバラン１１１が出力する信号は、差動信号であるため増幅器を挟んで同じ特性の１対の部品が配置されることになる。
図で示す符号において同じ数字に「ａ」、「ｂ」を付記することにより、１対の部品であることを示す。例えば、抵抗１２１ａと抵抗１２１ｂとは、同じ特性の１対の部品である。また、対になる部品についてまとめて表すときには、符号が示す数字によって表すことにする。例えば、１対の抵抗１２０ａと抵抗１２０ｂのことを、以下、抵抗１２０という。
入力緩衝増幅部１１０では、アクティブバラン１１１の信号入力端子は、信号入力端子１１に接続され、アクティブバラン１１１の信号出力端子が入力緩衝増幅部１１０の出力端子１１９に接続される。
【００２５】
可変減衰部１２０は、抵抗１２１（第１の抵抗）の一端が入力緩衝増幅部１１０からの信号が入力される入力端子１２８に接続される。
抵抗１２２（第２の抵抗）の一端が抵抗１２１の他端に接続され、他端が出力端子１２９に接続される。
スイッチ１２５（第７のスイッチ）の第１の信号端子が抵抗１２１と抵抗１２２とが接続される接続点に接続され、制御端子に第５の制御信号が入力される。
抵抗１２３（第１の受動素子）の一端がスイッチ１２５の第２の信号端子に接続される。
容量１２４（第２の受動素子）の一端が抵抗１２３の他端に接続され、他端が接地電位に接続される。
スイッチ１２６（第８のスイッチ）の信号端子がそれぞれ入力端子１２８と出力端子１２９とに接続され、制御端子に第５の制御信号と連動する第６の制御信号が入力される。
【００２６】
続いて、可変利得増幅部１４０と出力緩衝増幅部１７０との接続を示す。
【００２７】
可変利得増幅部１４０の入力端子１４８は、可変減衰部１２０の出力端子１２９に接続される。
可変利得増幅部１４０に配置される、増幅器１４１（第１の増幅器）と、増幅器１４１に直列に接続される増幅器１５１（第２の増幅器）とが信号切換部に配置されるスイッチにより接続される。ここで、スイッチは、例えばＳＰＳＴスイッチが適用される。
【００２８】
信号切換部において、スイッチ１４２（第１のスイッチ）の第１の信号端子が入力端子１４８に接続され、第２の信号端子が増幅器１４１の信号入力端子に接続され、制御端子に第１の制御信号が入力される。
スイッチ１４４（第２のスイッチ）の第１の信号端子が増幅器１４１の信号出力端子に接続され、制御端子に第１の制御信号が入力される。
スイッチ１４６（第３のスイッチ）の第１の信号端子がスイッチ１４２の第１の信号端子に接続され、第２の信号端子がスイッチ１４４の第２の信号端子に接続され、制御端子に第１の制御信号と連動する第２の制御信号が入力される。
スイッチ１５２（第４のスイッチ）の第１の信号端子がスイッチ１４４の第２の信号端子に接続され、第２の信号端子が増幅器１５１の信号入力端子に接続され、制御端子に第３の制御信号が入力される。
スイッチ１５４（第５のスイッチ）の第１の信号端子が増幅器１５１の信号出力端子に接続され、制御端子に第３の制御信号が入力される。
スイッチ１５６（第６のスイッチ）の第１の信号端子がスイッチ１５２の第１の信号端子に接続され、第２の信号端子がスイッチ１５４の第２の信号端子と出力端子１４９とに接続され、制御端子に第３の制御信号と連動する第４の制御信号が入力される。
【００２９】
出力緩衝増幅部１７０は、入力端子１７８が可変利得増幅部１４０の出力端子１４９に接続され、信号出力端子１２から信号が出力される。
出力緩衝増幅部１７０の入力端子１７８は、出力緩衝増幅器１７１の信号入力端子が接続される。
出力緩衝増幅器１７１の信号出力端子は、信号出力端子１２に接続される。
【００３０】
（原理）
次に、本多段可変利得増幅器１の動作原理について説明する。
ここで、多段可変利得増幅器１の信号入力端子１１に入力された信号は、入力緩衝増幅部１１０でのアクティブバラン１１１によってシングルエンド方式の入力信号から、差動信号に変換され、可変減衰部１２０に入力される。
次に可変減衰部１２０は、入力された信号を減衰あるいはそのまま通過し、可変利得増幅部１４０に入力される。
【００３１】
可変減衰器１２０は、Ｔ字型に接続された３つの抵抗１２１、１２２、１２３によって生じる減衰特性を利用して入力される信号を減衰させる。可変減衰器１２０において入力された信号を減衰させるには、信号経路と接地電位との間に接続された抵抗１２３と直列に接続されたスイッチ１２５は通過状態に、信号経路と並行に接続されたスイッチ１２６は遮断状態とする。スイッチ１２５とスイッチ１２６の状態設定は、それぞれの制御端子に状態設定を行う制御信号を入力する。これによって、可変減衰器１２０はＴ字型の減衰器となり、入力された信号を減衰させる。
【００３２】
一方、可変減衰器１２０で入力された信号を通過させる時には、信号経路と接地電位との間に接続された抵抗１２３と直列に接続されたスイッチ１２５は遮断状態に、信号経路と並行に接続されたスイッチ１２６は通過状態にする。これによって、可変減衰器１２０は、減衰器としては動作せず、信号を通過させる。
また、信号経路と接地電位との間に接続された抵抗１２３には、直列に容量１２４も接続されているので、信号経路が直流的に接地電位の影響を受けないようにしている。これにより、可変減衰部１２０の減衰率切換で、スイッチ１２５、１２６を切り換えても、信号経路のバイアス電圧が変化することを防ぐことができる。
【００３３】
続いて、可変減衰部１２０に接続され、２段の増幅器で構成される可変利得増幅部１４０は、入力された信号を増幅するか、あるいは通過させる動作をする。ここで、可変利得増幅部１４０に配置する増幅器１４１、１５１は、差動増幅器であり、差動増幅器の入力端子の入力バイアス電位と出力端子の出力バイアス電位は同じ値とする。差動増幅器の入力端子と出力端子のバイアス電位の設定方法としては、例えば、抵抗分圧による方法、ダイオードと定電流源による方法、エミッタフォロア（ソースフォロア）による方法などが利用できる。
これによって、可変利得増幅部１４０での利得を切り換えても、増幅器１４１、１５１の入出力のバイアス電位は変化しないので、可変利得増幅部１４０としてバイアス電位変動にともなう利得変化を生じることはない。
【００３４】
また、図１に示すように、可変利得増幅部１４０では、後段の増幅器への入力信号として、増幅した信号を選択するか、増幅器への入力信号を増幅せずに迂回させた信号を選択するかの設定が、スイッチの組み合わせにより増幅器ごとに選択できることにより、可変利得増幅部１４０としての信号の利得を選択することができる。
【００３５】
ここで、増幅器１４１を例として信号の選択方法を説明する。
増幅器１４１での増幅を行うには、増幅器１４１の信号入力端子と出力端子に直列に接続されたスイッチ１４２、１４４を導通（ＯＮ）とし、信号迂回手段に利用するスイッチ１４６は遮断（ＯＦＦ）とする。
逆に、増幅器１４１で増幅せずに通過させるには、増幅器１４１の信号入力端子と出力端子に接続されたスイッチ１４２、１４４を遮断（ＯＦＦ）とし、信号迂回手段に利用するスイッチ１４６は導通（ＯＮ）とする。
このようにスイッチ群の設定によって、信号の切換を行い各増幅器から得られる利得を決定する。
【００３６】
続いて、信号利得増幅部１４０は、増幅した信号を出力緩衝増幅部１７０に入力する。
出力緩衝増幅部１７０は、出力緩衝増幅器１７１を介して、入力された信号を増幅し信号出力端子１２に出力する。
【００３７】
上記の構成において、入力段にアクティブバラン１１１、出力段に出力緩衝増幅器１７１を配置することにより、利得切り替えによる多段可変利得増幅器１内部での設定変更に伴うインピーダンス変化によって外部への干渉を抑えることができる。
また、可変利得増幅部１４０の前段に可変減衰部１２０を配置することにより、多段可変利得増幅器１以降の受信部において過大入力レベルとなりうる信号が入力されたときでも、多段可変利得増幅器１は、信号を飽和させないように抑えることができる。
【００３８】
（動作）
次に、本多段可変利得増幅器１の動作について説明する。
本実施形態の多段可変利得増幅器１は、可変減衰部１２０と可変利得増幅部１４０のそれぞれの利得を組み合わせることにより、所要の利得を得ることができる。
多段可変利得増幅器１としての、利得設定について説明する。
可変減衰部１２０で減衰器として動作させるときに設定できる減衰量をαとする。
可変利得増幅部１４０で設定できる利得を、増幅器１４１（１段目）をＧ１、増幅器１５１（２段目）をＧ２とする。
可変減衰部１２０の迂回時の減衰率および可変利得増幅部１４０の迂回時の利得は１とする。
【００３９】
可変減衰部１２０での減衰設定の有無、可変利得増幅部１４０のそれぞれの増幅器による増幅の有無の組み合わせにより、段階的に選択できる利得を設定することができる。
図２は、可変増幅部１４０で設定できる利得を示す表である。
【００４０】
図２の表が表す内容について説明する。
２段構成の増幅器をそれぞれ、「第１段」、「第２段」とする。すなわち、増幅器１４１と増幅器１５１のことである。
第１段の利得を決定するスイッチ１４２とスイッチ１４４ならびにスイッチ１４６の設定状況を、導通させるときを「ＯＮ」、遮断させるときを「ＯＦＦ」として示す。
そのスイッチの設定による動作状態を、増幅せず迂回させる「迂回」と、増幅するときの「増幅」とで示し、増幅器１段（増幅器１４１）での利得を「１」または「Ｇ１」で表している。
第２段についても同様にスイッチ１５２、１５４、１５６の設定を表し、増幅器１５１１段での利得を「１」または「Ｇ２」で示している。
増幅器を２段構成として、各スイッチの状態を組み合わせると、４通りの条件がある。
例えば、条件Ｎｏ．３の場合には、第１段の増幅器１４１は、迂回させるので利得は「１」、第２段の増幅器１５１は、増幅させるので利得は「Ｇ２」であり、２段組み合わせたときの可変利得増幅部１４０としての利得は「Ｇ２」となることを示している。
【００４１】
可変利得増幅部１４０の設定によって得られる利得は、１、Ｇ１、Ｇ２、（Ｇ１×Ｇ２）の４段階の利得である。
多段可変利得増幅器１の利得としては、可変減衰部１２０の減衰率（α）を可変利得増幅１４０の利得に乗算したα、（α×Ｇ１）、（α×Ｇ２）、（α×Ｇ１×Ｇ２）を加えて計８段階の利得１、Ｇ１、Ｇ２、（Ｇ１×Ｇ２）、α、（α×Ｇ１）、（α×Ｇ２）、（α×Ｇ１×Ｇ２）を設定することができる。
ここで、可変減衰部１２０を減衰器として動作させ、可変利得増幅部１４０を迂回させた場合には、多段可変利得増幅器１の総合利得を減衰特性とすることも可能である。
なお、ここで示した利得は、可変設定を行う部分によって可変できる利得のことを示し、アクティブバラン１１１や、出力緩衝増幅器１７１で固定的に配置される利得は含んでいないものである。
【００４２】
上記の第１実施形態の構成により、多段可変利得増幅器１について、可変減衰部１２０と、可変利得増幅部１４０に配置した増幅器からの信号をスイッチで選択的に切り換えることで、段階的に利得を切り換えることが可能となる。
また、受信信号レベルが過大となる状況においても増幅器の前段に配置された受動素子で構成される可変減衰部１２０の働きにより、後段に接続される可変利得増幅部１４０などを飽和させることなく、適正な利得で受信信号の利得を調整することができる。
【００４３】
（第２実施形態）
第１実施形態では、多段可変利得増幅器１の１実施形態を説明した。第２実施形態では、多段可変利得増幅器に配置される可変利得増幅部１４０の他の構成について図を参照し説明する。
【００４４】
図３は、可変利得増幅部２４０の構成を示すブロック図である。
図３に示す構成は、増幅器２段によるものである。
また、図４では、図３で示された可変利得増幅部２４０によって設定できる利得と設定方法を示す。
【００４５】
図３に示す可変利得増幅部２４０は、２段の増幅器によって構成されているが、設定方法が図１で示した可変利得増幅部１４０と異なるスイッチの配置とすることにより、増幅器で増幅される信号の取り出し方を変えている。
図３に示す可変利得増幅部２４０では、増幅部２４１、２５１、スイッチ２４２ａ、２４４ａ、２４６ａ、２５２ａ、２５４ａ、２５６ａを備えるとともに、これらと対になるスイッチ２４２ｂ、２４４ｂ、２４６ｂ、２５２ｂ、２５４ｂ、２５６ｂを備えている。
スイッチは差動回路で対となる部品であり、以下、まとめてスイッチ２４２、２４４、２４６、２５２、２５４、２５６という。
【００４６】
図示する可変利得増幅部２４０の接続を示す。
可変利得増幅部２４０に配置される、増幅器２４１（第１の増幅器）と、増幅器２４１に直列に接続される増幅器２５１（第２の増幅器）とが信号切換部に配置されるスイッチにより接続される。ここで、スイッチは、例えばＳＰＳＴスイッチが適用される。
【００４７】
信号切換部において、スイッチ２４２（第１のスイッチ）の第１の信号端子が入力端子２４８に接続され、第２の信号端子が増幅器２４１（第１の増幅器）の信号入力端子に接続され、制御端子に第１の制御信号が入力される。
スイッチ２５２（第４のスイッチ）の第１の信号端子が増幅器２４１の信号出力端子に接続され、第２の信号端子が増幅器２５１（第２の増幅器）の信号入力端子に接続され、制御端子に第３の制御信号が入力される。
スイッチ２５４（第５のスイッチ）の第１の信号端子が増幅器２５１の信号出力端子に接続され、制御端子に第３の制御信号が入力される。
スイッチ２５６（第６のスイッチ）の第１の信号端子がスイッチ２５２の第１の信号端子に接続され、第２の信号端子がスイッチ２５４の第２の信号端子に接続され、制御端子に第３の制御信号と連動する第４の制御信号が入力される。
スイッチ２４４（第２のスイッチ）の第１の信号端子がスイッチ２５４の第２の信号端子に接続され、制御端子に第１の制御信号が入力される。
スイッチ２４６（第３のスイッチ）の第１の信号端子がスイッチ２４２の第１の信号端子に接続され、第２の信号端子がスイッチ２４４の第２の信号端子と出力端子２４９とに接続され、制御端子に第１の制御信号と連動する第２の制御信号が入力される。
【００４８】
図４に示す可変利得増幅部２４０の利得設定表では、２系統のスイッチのＯＮ／ＯＦＦ設定の組み合わせにより４つの条件ができるが、接続構成によって利用できる利得は、迂回の場合の１も含めて３段階（１、Ｇ１、Ｇ１×Ｇ２）となる。
本構成では、１段目だけを迂回するルートがないため、２段目の利得Ｇ２だけの利得を得ることができない。また、条件Ｎｏ．３の設定を行っても、入力された信号が２段の増幅器を迂回することになるので、利得は１となる。利得を得られない設定であるのに、増幅器を動作させるのは、電力的に無駄となるので設定条件として採用しないこととし、表では「設定なし」と記載する。
【００４９】
（第３実施形態）
図５に示す可変利得増幅部３４０は、２段の増幅器によって構成されているが、設定方法が図１で示した可変利得増幅部１４０と異なるスイッチの配置とすることにより、増幅器で増幅される信号の取り出し方を変えている。
図５に示す可変利得増幅部３４０では、増幅部３４１、３５１のほか、スイッチ３４２ａ、３４４ａ、３４６ａ、３５２ａ、３５４ａ、３５６ａを備えるとともに、これらと対になるスイッチ３４２ｂ、３４４ｂ、３４６ｂ、３５２ｂ、３５４ｂ、３５６ｂを備えている。
スイッチは、差動回路で対となる部品であり、以下、まとめてスイッチ３４２、３４４、３４６、３５２、３５４、３５６という。
【００５０】
図示する可変利得増幅部３４０の接続を示す。
可変利得増幅部３４０に配置される、増幅器３４１（第１の増幅器）と、増幅器３４１に直列に接続される増幅器３５１（第２の増幅器）とが信号切換部に配置されるスイッチにより接続される。ここで、スイッチは、例えばＳＰＳＴスイッチが適用される。
【００５１】
信号切換部において、スイッチ３５２（第４のスイッチ）の第１の信号端子が入力端子３４８に接続され、制御端子に第３の制御信号が入力される。
スイッチ３４２（第１のスイッチ）の第１の信号端子がスイッチ３５２の第２の信号端子に接続され、第２の信号端子が増幅器３４１（第１の増幅器）の信号入力端子に接続され、制御端子に第１の制御信号が入力される。
スイッチ３４４（第２のスイッチ）の第１の信号端子が増幅器３４１の信号出力端子に接続され、第２の信号端子が増幅器３５１（第２の増幅器）の信号入力端子に接続され、制御端子に第１の制御信号が入力される。
スイッチ３４６（第３のスイッチ）の第１の信号端子がスイッチ３４２の第１の信号端子に接続され、第２の信号端子がスイッチ３４４の第２の信号端子に接続され、制御端子に第１の制御信号と連動する第２の制御信号が入力される。
スイッチ３５４（第５のスイッチ）の第１の信号端子が増幅器３５１の信号出力端子に接続され、制御端子に第３の制御信号が入力される。
スイッチ３５６（第６のスイッチ）の第１の信号端子がスイッチ３５２の第１の信号端子に接続され、第２の信号端子がスイッチ３５４の第２の信号端子と出力端子３４９に接続され、制御端子に第３の制御信号と連動する第４の制御信号が入力される。
【００５２】
図６に示す可変利得増幅部３４０の利得設定表では、２系統のスイッチのＯＮ／ＯＦＦ設定の組み合わせにより４つの条件ができるが、接続構成によって利用できる利得は迂回の場合の１も含めて３段階（１、Ｇ２、Ｇ１×Ｇ２）となる。
本構成では、１段目だけを迂回するルートがないため、１段目の利得Ｇ１だけの利得を得ることができない。また、条件Ｎｏ．２の設定を行っても、入力された信号が２段の増幅器を迂回することになるので、利得は１となる。利得を得られない設定であるのに、増幅器を動作させるのは、電力的に無駄となるので設定条件として採用しないこととし、表では「設定なし」と記載する。
【００５３】
（第４実施形態）
図７に示す可変利得増幅部４４０は、３段の増幅器によって構成されている。
各増幅器について、信号切換部の設定により迂回か増幅かの切り換えが行える。
【００５４】
図７に示す可変利得増幅部４４０では、増幅部４４１、４５１、４６１のほか、スイッチ４４２ａ、４４４ａ、４４６ａ、４５２ａ、４５４ａ、４５６ａ、４６２ａ、４６４ａ，４６６ａを備えるとともに、これらと対になるスイッチ４４２ｂ、４４４ｂ、４４６ｂ、４５２ｂ、４５４ｂ、４５６ｂ、４６２ｂ、４６４ｂ、４６６ｂを備えている。
スイッチは、差動回路で対となる部品であり、以下、まとめてスイッチ４４２、４４４、４４６、４５２、４５４、４５６、４６２、４６４、４６６という。
【００５５】
図示する可変利得増幅部４４０の接続を示す。
可変利得増幅部４４０に配置される、増幅器４４１と、増幅器４４１に直列に接続される増幅器４５１と、増幅器４５１に直列に接続される増幅器４６１と、が信号切換部に配置されるスイッチにより接続される。ここで、スイッチは、例えばＳＰＳＴスイッチが適用される。
【００５６】
信号切換部において、スイッチ４４２の第１の信号端子が入力端子４４８に接続され、第２の信号端子が増幅器４４１の信号入力端子に接続され、制御端子に第１の制御信号が入力される。
スイッチ４４４の第１の信号端子が増幅器４４１の信号出力端子に接続され、制御端子に第１の制御信号が入力される。
スイッチ４４６の第１の信号端子がスイッチ４４２の第１の信号端子に接続され、第２の信号端子がスイッチ４４４の第２の信号端子に接続され、制御端子に第１の制御信号と連動する第２の制御信号が入力される。
スイッチ４５２の第１の信号端子がスイッチ４４４の第２の信号端子に接続され、第２の信号端子が増幅器４５１の信号入力端子に接続され、制御端子に第３の制御信号が入力される。
スイッチ４５４の第１の信号端子が増幅器４５１の信号出力端子に接続され、制御端子に第３の制御信号が入力される。
スイッチ４５６の第１の信号端子がスイッチ４５２の第１の信号端子に接続され、第２の信号端子がスイッチ４５４の第２の信号端子に接続され、制御端子に第３の制御信号と連動する第４の制御信号が入力される。
スイッチ４６２の第１の信号端子がスイッチ４５４の第２の信号端子に接続され、第２の信号端子が増幅器４６１の信号入力端子に接続され、制御端子に第７の制御信号が入力される。
スイッチ４６４の第１の信号端子が増幅器４６１の信号出力端子に接続され、制御端子に第７の制御信号が入力される。
スイッチ４６６の第１の信号端子がスイッチ４６２の第１の信号端子に接続され、第２の信号端子がスイッチ４６４の第２の信号端子と出力端子４４９とに接続され、制御端子に第７の制御信号と連動する第８の制御信号が入力される。
【００５７】
図８に示す可変利得増幅部４４０の利得設定表では、３系統のスイッチのＯＮ／ＯＦＦ設定の組み合わせにより８つの条件ができる。各増幅器の迂回・増幅の選択が独立に利用できる接続構成であるため、利用できる利得は迂回の場合の１も含めて８段階（１、Ｇ１、Ｇ２、Ｇ３、Ｇ１×Ｇ２、Ｇ１×Ｇ３、Ｇ２×Ｇ３、Ｇ１×Ｇ２×Ｇ３）となる。
【００５８】
（第５実施形態）
図９に示す可変利得増幅部５４０は、３段の増幅器によって構成されているが、設定方法が図７で示した可変利得増幅部４４０と異なるスイッチの配置とすることにより、増幅器で増幅される信号の取り出し方と設定できる利得を変えている。
【００５９】
図９に示す可変利得増幅部５４０では、増幅部５４１、５５１、５６１のほか、スイッチ５４２ａ、５４４ａ、５４６ａ、５５２ａ、５５４ａ、５５６ａ、５６２ａ、５６４ａ、５６６ａを備えるとともに、これらと対になるスイッチ５４２ｂ、５４４ｂ、５４６ｂ、５５２ｂ、５５４ｂ、５５６ｂ、５６２ｂ、５６４ｂ，５６６ｂを備えている。
スイッチは、差動回路で対となる部品であり、以下、まとめてスイッチ５４２、５４４、５４６、５５２、５５４、５５６、５６２、５６４、５６６という。
【００６０】
図示する可変利得増幅部５４０の接続を示す。
可変利得増幅部５４０に配置される、増幅器５４１と、増幅器５４１に直列に接続される増幅器５５１と、増幅器５５１に直列に接続される増幅器５６１と、が信号切換部に配置されるスイッチにより接続される。ここで、スイッチは、例えばＳＰＳＴスイッチが適用される。
【００６１】
信号切換部において、スイッチ５４２の第１の信号端子が入力端子５４８に接続され、第２の信号端子が増幅器５４１の信号入力端子に接続され、制御端子に第１の制御信号が入力される。
スイッチ５５２の第１の信号端子が増幅器５４１の信号出力端子に接続され、第２の信号端子が増幅器５５１の信号入力端子に接続され、制御端子に第３の制御信号が入力される。
スイッチ５６２の第１の信号端子が増幅器５５１の信号出力端子に接続され、第２の信号端子が増幅器５６１の信号入力端子に接続され、制御端子に第７の制御信号が入力される。
スイッチ５６４の第１の信号端子が増幅器５６１の信号出力端子に接続され、制御端子に第７の制御信号が入力される。
スイッチ５６６の第１の信号端子がスイッチ５６２の第１の信号端子に接続され、第２の信号端子がスイッチ５６４の第２の信号端子に接続され、制御端子に第７の制御信号と連動する第８の制御信号が入力される。
スイッチ５５４の第１の信号端子がスイッチ５６４の第２の信号端子に接続され、制御端子に第３の制御信号が入力される。
スイッチ５５６の第１の信号端子がスイッチ５５２の第１の信号端子に接続され、第２の信号端子がスイッチ５５４の第２の信号端子に接続され、制御端子に第３の制御信号と連動する第４の制御信号が入力される。
スイッチ５４４の第１の信号端子がスイッチ５５４の第２の信号端子に接続され、制御端子に第１の制御信号が入力される。
スイッチ５４６の第１の信号端子がスイッチ５４２の第１の信号端子に接続され、第２の信号端子がスイッチ５４４の第２の信号端子と出力端子５４９とに接続され、制御端子に第１の制御信号と連動する第２の制御信号が入力される。
【００６２】
図１０に示す可変利得増幅部５４０の利得設定表では、３系統のスイッチのＯＮ／ＯＦＦ設定の組み合わせにより８つの条件ができるが、接続構成によって利用できる利得は迂回の場合の１も含めて４段階（１、Ｇ１、Ｇ１×Ｇ２、Ｇ１×Ｇ２×Ｇ３）となる。
本構成では、３段目を経由しないで迂回するルートがないため、３段目の利得Ｇ３だけの利得を得ることができない。また、条件Ｎｏ．３の設定を行っても、入力された信号が２段の増幅器を迂回することになるので、利得は１となる。条件Ｎｏ．３のように利得を得られない設定であるのに、増幅器を動作させるのは、電力的に無駄となるので設定条件としては採用しないこととし、表では「設定なし」と記載する。
【００６３】
（第６実施形態）
図１１に示す可変利得増幅部６４０は、３段の増幅器によって構成されているが、設定方法が図７で示した可変利得増幅部４４０と異なるスイッチの配置とすることにより、増幅器で増幅される信号の取り出し方と設定できる利得を変えている。
【００６４】
図１１に示す可変利得増幅部６４０では、増幅部６４１、６５１、６６１のほか、スイッチ６４２ａ、６４４ａ、６４６ａ、６５２ａ、６５４ａ、６５６ａ、６６２ａ、６６４ａ、６６６ａを備えるとともに、これらと対になるスイッチ６４２ｂ、６４４ｂ、６４６ｂ、６５２ｂ、６５４ｂ、６５６ｂ、６６２ｂ、６６４ｂ、６６６ｂを備えている。
スイッチは、差動回路で対となる部品であり、以下、まとめてスイッチ６４２、６４４、６４６、６５２、６５４、６５６、６６２、６６４、６６６という。
【００６５】
図示する可変利得増幅部６４０の接続を示す。
可変利得増幅部６４０に配置される、増幅器６４１と、増幅器６４１に直列に接続される増幅器６５１と、増幅器６５１に直列に接続される増幅器６６１と、が信号切換部に配置されるスイッチにより接続される。ここで、スイッチは、例えばＳＰＳＴスイッチが適用される。
【００６６】
信号切換部において、スイッチ６６２の第１の信号端子が入力端子６４８に接続され、制御端子に第７の制御信号が入力される。
スイッチ６５２の第１の信号端子がスイッチ６６２の第２の信号端子に接続され、制御端子に第３の制御信号が入力される。
スイッチ６４２の第１の信号端子がスイッチ６５２の第２の信号端子に接続され、第２の信号端子が増幅器６４１の信号入力端子に接続され、制御端子に第１の制御信号が入力される。
スイッチ６４４の第１の信号端子が増幅器６４１の信号出力端子に接続され、第２の信号端子が増幅器６５１の信号入力端子に接続され、制御端子に第１の制御信号が入力される。
スイッチ６４６の第１の信号端子がスイッチ６４２の第１の信号端子に接続され、第２の信号端子がスイッチ６４４の第２の信号端子に接続され、制御端子に第１の制御信号と連動する第２の制御信号が入力される。
スイッチ６５４の第１の信号端子が増幅器６５１の信号出力端子に接続され、第２の信号端子が増幅器６６１の信号入力端子に接続され、制御端子に第３の制御信号が入力される。
スイッチ６５６の第１の信号端子がスイッチ６５２の第１の信号端子に接続され、第２の信号端子がスイッチ６５４の第２の信号端子に接続され、制御端子に第３の制御信号と連動する第４の制御信号が入力される。
スイッチ６６４の第１の信号端子が増幅器６６１の信号出力端子に接続され、制御端子に第７の制御信号が入力される。
スイッチ６６６の第１の信号端子がスイッチ６６２の第１の信号端子に接続され、第２の信号端子がスイッチ６６４の第２の信号端子と出力端子６４９に接続され、制御端子に第７の制御信号と連動する第８の制御信号が入力される。
【００６７】
図１２に示す可変利得増幅部６４０の利得設定表では、３系統のスイッチのＯＮ／ＯＦＦ設定の組み合わせにより８つの条件ができるが、接続構成によって利用できる利得は迂回の場合の１も含めて４段階（１、Ｇ３、Ｇ２×Ｇ３、Ｇ１×Ｇ２×Ｇ３）となる。
本構成では、１段目だけを迂回するルートがないため、１段目の利得Ｇ１だけの利得を得ることができない。また、条件Ｎｏ．２の設定を行っても、入力された信号が２段の増幅器を迂回することになるので、利得は１となる。条件Ｎｏ．２のように利得を得られない設定であるのに、増幅器を動作させるのは、電力的に無駄となるので設定条件として採用しないこととし、表では「設定なし」と記載する。
【００６８】
上記の第２実施形態から第６実施形態の構成により、可変利得増幅部１４０に代えて、増幅器の段数ならびにスイッチの配置により複数の実施形態をとり得ることが可能となる。
第１〜第６実施形態では、２段と３段の増幅器の配置を説明したが、更に増幅器の段数を増やしたり、スイッチの配置を変えたりすることにより図示した構成以外にも多彩な構成をとることが可能である。
【００６９】
（第７実施形態）
第１実施形態〜第６実施形態において、構成条件を差動増幅回路方式のものとして説明した。一方、本発明は、シングルエンド回路方式においても適用可能である。
【００７０】
第７実施形態で説明するシングルエンド回路方式のものは、前述の第１実施形態で説明した差動増幅回路方式のものと基本構成は同じであり、回路方式が相違点となる。したがって、前述の実施形態のものとの対比を行い相違点について補足することとし、図の説明に代える。
なお、図中の符号は、図１のブロック図で示したものと同様に機能するものには同じ番号を振り、その番号にシングルエンド回路構成とすることを表す「ｓ」を付記した符号とした。
【００７１】
図１３は、シングルエンド回路方式による多段可変利得増幅器２を示し、前述の第１実施形態の図１に相当するブロック図である。
なお、図１での入力緩衝増幅部１１０では、差動増幅回路方式への変換を行うのでアクティブバラン１１１としたが、図１３の入力緩衝増幅部１１０ｓでは、差動増幅回路方式への変換が不要のため入力緩衝増幅器１１２としている点が異なっている。
図１３で示す可変利得増幅部１４０ｓ設定で得られる利得についての説明は、第１実施形態による図２に相当するため省略する。
【００７２】
上記の第７実施形態の構成により、多段可変利得増幅器２の回路においてシングルエンド回路方式を適用した構成を提供できる。
【００７３】
（第８実施形態）
図１４は、シングルエンド回路方式による２段の増幅器で構成される可変利得増幅部２４０ｓを示し、前述の第２実施形態の図３に相当するブロック図である。
図中の符号は、図３のブロック図で示したものと同様に機能するものには同じ番号を振り、その番号にシングルエンド回路構成とすることを表す「ｓ」を付記した符号とした。
図１４で示す可変利得増幅部２４０ｓ設定で得られる利得についての説明は、第２実施形態による図４に相当するため省略する。
上記の第８実施形態の構成により、可変利得増幅部１４０ｓの回路にシングルエンド回路方式を適用した構成を提供できる。
【００７４】
（第９実施形態）
図１５は、シングルエンド回路方式による２段の増幅器で構成される可変利得増幅部３４０ｓを示し、前述の第３実施形態の図５に相当するブロック図である。
図中の符号は、図５のブロック図で示したものと同様に機能するものには同じ番号を振り、その番号にシングルエンド回路構成とすることを表す「ｓ」を付記した符号とした。
図１５で示す可変利得増幅部３４０ｓ設定で得られる利得についての説明は、第３実施形態による図６に相当するため省略する。
上記の第９実施形態の構成により、可変利得増幅部１４０ｓの回路にシングルエンド回路方式を適用した構成を提供できる。
【００７５】
（第１０実施形態）
図１６は、シングルエンド回路方式による３段の増幅器で構成される可変利得増幅部４４０ｓを示し、前述の第４実施形態の図７に相当するブロック図である。
図中の符号は、図７のブロック図で示したものと同様に機能するものには同じ番号を振り、その番号にシングルエンド回路構成とすることを表す「ｓ」を付記した符号とした。
図１６で示す可変利得増幅部４４０ｓ設定で得られる利得についての説明は、第４実施形態による図８に相当するため省略する。
上記の第１０実施形態の構成により、可変利得増幅部１４０ｓの回路にシングルエンド回路方式を適用した構成を提供できる。
【００７６】
（第１１実施形態）
図１７は、シングルエンド回路方式による３段の増幅器で構成される可変利得増幅部５４０ｓを示し、前述の第５実施形態の図９に相当するブロック図である。
図中の符号は、図９のブロック図で示したものと同様に機能するものには同じ番号を振り、その番号にシングルエンド回路構成とすることを表す「ｓ」を付記した符号とした。
図１７で示す可変利得増幅部５４０ｓ設定で得られる利得についての説明は、第５実施形態による図１０に相当するため省略する。
上記の第１１実施形態の構成により、可変利得増幅部１４０ｓの回路にシングルエンド回路方式を適用した構成を提供できる。
【００７７】
（第１２実施形態）
図１８は、シングルエンド回路方式による３段の増幅器で構成される可変利得増幅部６４０ｓを示し、前述の第６実施形態の図１１に相当するブロック図である。
図中の符号は、図１１のブロック図で示したものと同様に機能するものには同じ番号を振り、その番号にシングルエンド回路構成とすることを表す「ｓ」を付記した符号とした。
図１８で示す可変利得増幅部６４０ｓ設定で得られる利得についての説明は、第６実施形態による図１２に相当するため省略する。
上記の第１２実施形態の構成により、可変利得増幅部１４０ｓの回路にシングルエンド回路方式を適用した構成を提供できる。
【００７８】
（第１３実施形態）
以上に示した実施形態において、入力緩衝増幅部１１０（あるいは入力緩衝増幅部１１０ｓ）は、本多段可変利得増幅器の入力処理を行う配置とし、可変減衰部１２０（あるいは可変減衰部１２０ｓ）の前段に配置する形態として説明した。
図１９を参照し、入出力緩衝部の前段に可変減衰部を配置する多段可変利得増幅器３について示す。
この図によると、入力緩衝増幅部１１０と入力緩衝増幅部１２０の前述での配置を逆として、入力端子１３に入力される信号をシングルエンド信号を扱う可変減衰部、すなわち可変減衰部１２０ｓで入力処理を行い、減衰させた信号を入力緩衝増幅部１１０に入力する。入力緩衝増幅部１１０は、その信号を可変利得増幅部１４０等に入力する形態を示す。
上記以外は、先に示した形態と同じで同じ要素には同じ符号を振り、先の説明を参照することとする。
【００７９】
（第１４実施形態）
第１３実施形態で示した形態では、入力緩衝増幅部１１０、可変利得増幅部１４０、出力緩衝増幅部１６０は、差動増幅回路の形態であった。
図２０を参照し、第１３実施形態と同じく入出力緩衝部の前段に可変減衰部を配置するシングルエンド回路方式による多段可変利得増幅器４について示す。
この図によると、入力緩衝増幅部１１０ｓと入力緩衝増幅部１２０ｓの前述の配置を逆として、入力端子１３に入力される信号を可変減衰部１２０ｓで入力処理を行い、減衰させた信号を入力緩衝増幅部１１０ｓに入力し、入力緩衝増幅部１１０ｓはその信号を可変利得増幅部１４０ｓ等に入力する形態を示す。
上記以外は、先に示した形態と同じで同じ要素には同じ符号を振り、先の説明を参照することとする。
【００８０】
（第１５実施形態）
以上に示した実施形態において、可変減衰部１２０、１２０ｓをＴ字型に接続された３つの抵抗による減衰回路をもとに実施する形態として説明した。ここで、Ｔ字型の減衰回路の変わりに、π字型の接続された３つの抵抗による減衰回路を利用することも可能である。その際、接地電位側に接続される２つの抵抗にはそれぞれスイッチならびに容量を直列に配置することとなる。
図２１に、π字型の接続された３つの抵抗による減衰回路による可変減衰部１３０を示す。
図２１（ａ）は、差動型回路での実施形態であり、図２１（ｂ）はシングルエンド回路による実施形態である。
図で示す符号において同じ数字に「ａ」、「ｂ」を付記することにより、１対の部品であることを示す。例えば、抵抗１３１ａと抵抗１３１ｂとは、同じ特性の１対の部品である。また、対になる部品についてまとめて表すときには、符号が示す数字によって表すことにする。例えば、１対の抵抗１３０ａと抵抗１３０ｂのことを、以下、抵抗１３０という。
【００８１】
可変減衰部１３０は、抵抗１３１の一端が入力端子１３８に接続され、他端が出力端子１３９に接続される。
スイッチ１３５の第１の信号端子は、抵抗１３１が接続される入力端子１３８に接続され、制御端子に第７の制御信号が入力される。
抵抗１３３の一端がスイッチ１３５の第２の信号端子に接続される。
容量１３４の一端が抵抗１３３の他端に接続され、他端が接地電位に接続される。
スイッチ１３５−１の第１の信号端子は、抵抗１３１が接続される出力端子１３９に接続され、制御端子に第７の制御信号が入力される。
抵抗１３３−１の一端がスイッチ１３５−１の第２の信号端子に接続される。
容量１３４−１の一端が抵抗１３３−１の他端に接続され、他端が接地電位に接続される。
スイッチ１３６の信号端子がそれぞれ入力端子１３８と出力端子１３９とに接続され、制御端子に第７の制御信号と連動する第８の制御信号が入力される。
【００８２】
ここで、可変減衰器１３０は、π字型に接続された３つの抵抗１３１、１３２、１３３によって生じる減衰特性を利用して入力される信号を減衰させる。可変減衰器１３０において入力された信号を減衰させるには、信号経路と接地電位との間に接続された抵抗１３３、抵抗１３３−１と直列に接続されたスイッチ１３５、スイッチ１３５−１は通過状態に、信号経路と並行に接続されたスイッチ１３６は遮断状態とする。スイッチ１３５とスイッチ１３５−１及びスイッチ１３６の状態設定は、それぞれの制御端子に状態設定を行う制御信号を入力する。これによって、可変減衰器１３０はπ字型の減衰器となり、入力された信号を減衰させる。
【００８３】
一方、可変減衰器１３０で入力された信号を通過させる時には、信号経路と接地電位との間に接続された抵抗１３３、抵抗１３３−１と直列に接続されたスイッチ１３５、１３５−１は遮断状態に、信号経路と並行に接続されたスイッチ１３６は通過状態にする。これによって、可変減衰器１３０は、減衰器としては動作せず、信号を通過させる。
また、信号経路と接地電位との間に接続された抵抗１３３、抵抗１３３−１には、直列に容量１３４、容量１３４−１も接続されているので、信号経路が直流的に接地電位の影響を受けないようにしている。これにより、可変減衰部１３０の減衰率切換で、スイッチ１３５、１３５−１、１３６を切り換えても、信号経路のバイアス電圧が変化することを防ぐことができる。
【００８４】
図２１（ｂ）は、シングルエンド回路方式による可変減衰器１３０ｓを示し、前述の図２１（ａ）に相当するブロック図である。
図中の符号は、図２１（ａ）のブロック図で示したものと同様に機能するものには同じ番号を振り、その番号にシングルエンド回路方式とすることを表す「ｓ」を付記した符号とした。
図２１（ｂ）で示す可変減衰部１３０ｓの設定で得られる利得についての説明は、図２１（ａ）を参照することとする。
上記の実施形態の構成により、可変減衰部１３０ｓの回路にシングルエンド回路方式を適用した構成を提供できる。
【００８５】
なお、可変利得増幅部１４０〜６４０ならびに可変利得増幅部１４０ｓ〜６４０ｓに配置する増幅器は、特定の方式に制限されることなく、入力信号と出力信号のバイアス電位を等しくできるものであればよい。
【００８６】
なお、本発明は、上記の各実施形態に限定されるものではなく、本発明の趣旨を逸脱しない範囲で変更可能である。本発明の多段可変利得増幅器における、各機能ブロック間に緩衝増幅器などを配置させることも可能であり、適用範囲を無線通信の受信回路に限らずあらゆる種類の受信回路で使用することができ、増幅器やスイッチの構成数や接続形態についても特に限定されるものではない。
それゆえ、可変利得増幅部の入力処理を、増幅器またはスイッチのいずれかで行うことができる。
【００８７】
なお、本実施形態で示した回路を２系統配置することにより、直交信号を扱う通信方式での受信回路に適用することができる。
【００８８】
なお、本発明に記載の増幅部と信号切換部とを組み合わせた構成が、可変利得増幅部１４０、１４０ｓに対応する。
また、本発明の第１の増幅器は、増幅器１４１、２４１、３４１、１４１ｓ、２４１ｓ、３４１ｓに対応する。
また、本発明の第２の増幅器は、増幅器１５１、２５１、３５１、１５１ｓ、２５１ｓ、３５１ｓに対応する。
また、本発明の第１のスイッチは、スイッチ１４２（１４２ａ、１４２ｂ）、２４２（２４２ａ、２４２ｂ）、３４２（３４２ａ、３４２ｂ）、１４２ｓ、２４２ｓ、３４２ｓに対応する。
また、本発明の第２のスイッチは、スイッチ１４４（１４４ａ、１４４ｂ）、２４４（２４４ａ、２４４ｂ）、３４４（３４４ａ、３４４ｂ）、１４４ｓ、２４４ｓ、３４４ｓに対応する。
また、本発明の第３のスイッチは、スイッチ１４６（１４６ａ、１４６ｂ）、２４６（２４６ａ、２４６ｂ）、３４６（３４６ａ、３４６ｂ）、１４６ｓ、１４６ｓ、１４６ｓに対応する。
また、本発明の第４のスイッチは、スイッチ１５２（１５２ａ、１５２ｂ）、２５２（２５２ａ、２５２ｂ）、３５２（３５２ａ、３５２ｂ）、１５２ｓ、２５２ｓ、３５２ｓに対応する。
また、本発明の第５のスイッチは、スイッチ１５４（１５４ａ、１５４ｂ）、２５４（２５４ａ、２５４ｂ）、３５４（３５４ａ、３５４ｂ）、１５４ｓ、２５４ｓ、３５４ｓに対応する。
また、本発明の第６のスイッチは、スイッチ１５６（１５６ａ、１５６ｂ）、２５６（２５６ａ、２５６ｂ）、３５６（３５６ａ、３５６ｂ）、１５６ｓ、２５６ｓ、３５６ｓに対応する。
また、本発明の出力緩衝増幅部は、出力緩衝増幅部１７０、出力緩衝増幅器１７１、出力緩衝増幅部１７０ｓ、出力緩衝増幅器１７１ｓに対応する。
【００８９】
また、本発明の入力緩衝増幅部は、入力緩衝増幅部１１０、アクティブバラン１１１、入力緩衝増幅部１１０ｓ、入力緩衝増幅器１１２に対応する。
また、本発明の減衰部は、可変減衰部１２０、１２０ｓ、１３０、１３０ｓに対応する。
また、本発明の第１の抵抗は、抵抗１２１（１２１ａ、１２１ｂ）、１２１ｓに対応する。
また、本発明の第２の抵抗は、抵抗１２２（１２２ａ、１２２ｂ）、１２２ｓに対応する。
また、本発明の第７のスイッチは、スイッチ１２５（１２５ａ、１２５ｂ）、１２５ｓに対応する。
また、本発明の第１の受動素子は、抵抗１２３（１２３ａ、１２３ｂ）、１２３ｓに対応する。
また、本発明の第２の受動素子は、容量１２４（１２４ａ、１２４ｂ）、１２４ｓに対応する。
また、本発明の第８のスイッチは、スイッチ１２６（１２６ａ、１２６ｂ）、１２６ｓに対応する。
【図面の簡単な説明】
【００９０】
【図１】本発明の第１実施形態による多段可変利得増幅器１を示すブロック図である。
【図２】第１実施形態における可変利得増幅部１４０の利得設定を示す設定表である。
【図３】第２実施形態における可変利得増幅部２４０のスイッチの配置を示すブロック図である。
【図４】第２実施形態における可変利得増幅部２４０の利得設定を示す設定表である。
【図５】第３実施形態における可変利得増幅部３４０のスイッチの配置を示すブロック図である。
【図６】第３実施形態における可変利得増幅部３４０の利得設定を示す設定表である。
【図７】第４実施形態における可変利得増幅部４４０のスイッチの配置を示すブロック図である。
【図８】第４実施形態における可変利得増幅部４４０の利得設定を示す設定表である。
【図９】第５実施形態における可変利得増幅部５４０のスイッチの配置を示すブロック図である。
【図１０】第５実施形態における可変利得増幅部５４０の利得設定を示す設定表である。
【図１１】第６実施形態における可変利得増幅部６４０のスイッチの配置を示すブロック図である。
【図１２】第６実施形態における可変利得増幅部６４０の利得設定を示す設定表である。
【図１３】第７実施形態による多段可変利得増幅器２を示すブロック図である。
【図１４】第８実施形態における可変利得増幅部２４０ｓのスイッチの配置を示すブロック図である。
【図１５】第９実施形態における可変利得増幅部３４０ｓのスイッチの配置を示すブロック図である。
【図１６】第１０実施形態における可変利得増幅部４４０ｓのスイッチの配置を示すブロック図である。
【図１７】第１１実施形態における可変利得増幅部５４０ｓのスイッチの配置を示すブロック図である。
【図１８】第１２実施形態における可変利得増幅部６４０ｓのスイッチの配置を示すブロック図である。
【図１９】第１３実施形態による多段可変利得増幅器３を示すブロック図である。
【図２０】第１４実施形態による多段可変利得増幅器４を示すブロック図である。
【図２１】第１５実施形態による可変減衰部１３０を示すブロック図である。
【符号の説明】
【００９１】
１      多段可変利得増幅器
１１    信号入力端子
１２、１２ａ、１２ｂ  信号出力端子
１１０  入力緩衝増幅部
１１１  アクティブバラン
１２０  可変減衰部
１２１ａ、１２１ｂ、１２２ａ，１２２ｂ、１２３ａ、１２３ｂ  抵抗
１２４ａ、１２４ｂ  容量
１２５ａ、１２５ｂ、１２６ａ、１２６ｂ  スイッチ
１４２ａ、１４２ｂ、１４４ａ、１４４ｂ、１４６ａ、１４６ｂ  スイッチ
１５２ａ、１５２ｂ、１５４ａ、１５４ｂ、１５６ａ、１５６ｂ  スイッチ
１４０  可変利得増幅部
１４１、１５１  増幅器
１７０  出力緩衝増幅部
１７１  出力緩衝増幅器
【図１】
2009239794.tif 000003
【図２】
2009239794.tif 000004
【図３】
2009239794.tif 000005
【図４】
2009239794.tif 000006
【図５】
2009239794.tif 000007
【図６】
2009239794.tif 000008
【図７】
2009239794.tif 000009
【図８】
2009239794.tif 000010
【図９】
2009239794.tif 000011
【図１０】
2009239794.tif 000012
【図１１】
2009239794.tif 000013
【図１２】
2009239794.tif 000014
【図１３】
2009239794.tif 000015
【図１４】
2009239794.tif 000016
【図１５】
2009239794.tif 000017
【図１６】
2009239794.tif 000018
【図１７】
2009239794.tif 000019
【図１８】
2009239794.tif 000020
【図１９】
2009239794.tif 000021
【図２０】
2009239794.tif 000022
【図２１】
2009239794.tif 000023